(57)【特許請求の範囲】
【請求項１】
基材上における少なくとも一部の領域に、凹及び／又は凸形状の画線の傾斜角度を異ならせた複数の潜像模様が形成された複数潜像を有する画像形成体であって、
前記潜像模様は、
第１の方向に配列された、断面形状が所定傾斜角度を有する複数の第１の潜像画線により形成された第一の潜像部と、前記第１の潜像画線と重ならない位置に、前記第１の潜像画線と同じ方向に配置された、断面形状が前記所定傾斜角度と異なる角度で傾斜した複数の第１の背景画線により形成された第一の背景部と、
前記第１の方向と同じ方向に配列された、断面形状が所定傾斜角度を有する複数の第２の潜像画線により形成された第二の潜像部と、前記第２の潜像画線と重ならない位置に、前記第２の潜像画線と同じ方向に配列された、断面形状が前記第２の潜像画線の所定傾斜角度と異なる角度で傾斜した複数の第２の背景画線により形成された第二の背景部を有し、
前記第１の潜像画線と前記第１の背景画線の前記傾斜角度が異なることで第一の潜像模様が形成され、前記第２の潜像画線と前記第２の背景画線の前記傾斜角度が異なることで第二の潜像模様が形成され、
前記第１の潜像画線と前記第２の潜像画線の前記傾斜角度が異なり、前記第１の背景画線と前記第２の背景画線の前記傾斜角度は同じ又は異なり、
前記第１の潜像画線と前記第１の背景画線の前記傾斜角度の違い、前記第２の潜像画線と前記第２の背景画線の前記傾斜角度の違い及び前記第１の潜像画線と前記第２の潜像画線の前記傾斜角度の違いにより、各画線に当たる光の反射及び／又は透過により生じる明暗の差で、前記基材を傾ける角度に応じて前記第一の潜像模様又は前記第二の潜像模様が視認されることを特徴とする複数潜像を有する画像形成体。
【請求項２】
前記潜像模様は、前記第１の方向と同じ方向に配列された複数の第３、第４、・・・、第ｎ（ｎは５以上）の潜像画線により形成された第三、第四、・・・、第Ｎの潜像部と、前記第３、前記第４、・・・、前記第ｎの潜像画線と重ならない位置に、前記第３、前記第４、・・・、前記第ｎの潜像画線と同じ方向に配列された複数の第３、第４、・・・、第ｎの背景画線により形成された第三、第四、・・・、第Ｎの背景部を有し、
前記第３の潜像画線と前記第３の背景画線の断面形状の傾斜角度が異なることで第三の潜像模様が形成され、前記第４の潜像画線と前記第４の背景画線の断面形状の傾斜角度が異なることで第四の潜像模様が形成され、・・・、前記第ｎの潜像画線と前記第ｎの背景画線の断面形状の傾斜角度が異なることで第Ｎの潜像模様が形成され、
前記第３、前記第４、・・・、前記第ｎの潜像画線の前記傾斜角度と、前記第１の潜像画線及び前記第２の潜像画線の全ての画線の前記傾斜角度は異なり、前記第３、前記第４、・・・、前記第ｎの背景画線と前記第１の背景画線及び前記第２の背景画線の前記傾斜角度は同じ又は異なり、
前記第３の潜像画線と前記第３の背景画線の前記傾斜角度の違い、前記第４の潜像画線と前記第４の背景画線の前記傾斜角度の違い、・・・、前記第ｎの潜像画線と前記第ｎの背景画線の前記傾斜角度の違い及び各潜像画線の全ての前記傾斜角度の違いにより、前記各画線に当たる光の反射及び／又は透過により生じる明暗の差で、前記基材を傾ける角度に応じて、更に前記第三、前記第四、・・・又は前記第Ｎの潜像模様が視認されることを特徴とする請求項１記載の複数潜像を有する画像形成体。
【請求項３】
前記第１の潜像画線及び前記第１の背景画線が規則的に第１のピッチで配列され、前記第２の潜像画線が規則的に前記第１のピッチと同じピッチ又は異なる第２のピッチで配列され、前記第２の背景画線が前記第２の潜像画線と同じピッチで配列されたことを特徴とする請求項１記載の複数潜像を有する画像形成体。
【請求項４】
前記第１の潜像画線及び前記第１の背景画線が規則的に第１のピッチで配列され、前記第２の潜像画線が規則的に前記第１のピッチと同じピッチ又は異なる第２のピッチで配列され、前記第２の背景画線が前記第２の潜像画線と同じピッチで配列された場合、前記第３、前記第４、・・・、前記第ｎの潜像画線が、前記第１のピッチ又は前記第２のピッチと同じ又は異なる第３、第４、・・・、第ｎのピッチで配列され、前記第３、前記第４、・・・、前記第ｎの背景画線が前記第３、前記第４、・・・、前記第ｎの潜像画線と同じピッチで配列されたことを特徴とする請求項２記載の複数潜像を有する画像形成体。
【請求項５】
前記第１の潜像画線、前記第１の背景画線、前記第２の潜像画線及び前記第２の背景画線がランダムなピッチで配列されたことを特徴とする請求項１記載の複数潜像を有する画像形成体。
【請求項６】
前記第１の潜像画線、前記第１の背景画線、前記第２の潜像画線及び前記第２の背景画線がランダムなピッチで配列された場合、前記第３、前記第４、・・・、前記第ｎの潜像画線及び前記第３、前記第４、・・・、前記第ｎの背景画線が全てランダムなピッチで配列されたことを特徴とする請求項２記載の複数潜像を有する画像形成体。
【請求項７】
基材上における少なくとも一部の領域に、凹及び／又は凸形状の画線の傾斜角度を異ならせた複数の潜像模様が形成された複数潜像を有する画像形成体であって、
前記潜像模様は、
第１の方向に配列された、断面形状が所定傾斜角度を有する複数の第１の潜像画線により形成された第一の潜像部と、前記第１の潜像画線と重ならない位置に、前記第１の潜像画線と同じ方向に配置された、断面形状が前記所定傾斜角度と異なる角度で傾斜した複数の第１の背景画線により形成された第一の背景部と、
前記第１の方向とは異なる第２の方向に配列された、断面形状が所定傾斜角度を有する複数の第２の潜像画線により形成された第二の潜像部と、前記第２の潜像画線と重ならない位置に、前記第２の潜像画線と同じ方向に配列された、断面形状が前記第２の潜像画線の所定傾斜角度と異なる角度で傾斜した複数の第２の背景画線により形成された第二の背景部を有し、
前記第１の潜像画線と前記第１の背景画線の前記傾斜角度が異なることで第一の潜像模様が形成され、前記第２の潜像画線と前記第２の背景画線の前記傾斜角度が異なることで第二の潜像模様が形成され、
前記第１の潜像画線と前記第２の潜像画線の前記傾斜角度は同じ又は異なり、前記第１の背景画線と前記第２の背景画線の前記傾斜角度は同じ又は異なり、
前記第１の潜像画線と前記第１の背景画線の前記傾斜角度の違い、前記第２の潜像画線と前記第２の背景画線の前記傾斜角度の違い及び前記第一の潜像模様と前記第二の潜像模様を構成する画線の配列方向の違いにより、前記各画線に当たる光の反射及び／又は透過により生じる明暗の差で、前記基材を傾ける方向に応じて前記第一の潜像模様又は前記第二の潜像模様が視認されることを特徴とする複数潜像を有する画像形成体。
【請求項８】
前記潜像模様は、前記第１の方向及び前記第２の方向と異なる第３、第４、・・・、第ｎ（ｎは５以上）の方向に配列された複数の第３、第４、・・・、第ｎの潜像画線により形成された第三、第四、・・・、第Ｎの潜像部と、前記第３、前記第４、・・・、前記第ｎの潜像画線と重ならない位置に、前記第３、前記第４、・・・、前記第ｎの潜像画線と同じ方向に配列された複数の第３、第４、・・・、第ｎの背景画線により形成された第三、第四、・・・、第Ｎの背景部を有し、
前記第３の潜像画線と前記第３の背景画線の断面形状の傾斜角度が異なることで第三の潜像模様が形成され、前記第４の潜像画線と前記第４の背景画線の断面形状の傾斜角度が異なることで第四の潜像模様が形成され、・・・、前記第ｎの潜像画線と前記第ｎの背景画線の断面形状の傾斜角度が異なることで第Ｎの潜像模様が形成され、
前記第３、前記第４、・・・、前記第ｎの潜像画線の前記傾斜角度と、前記第１の潜像画線及び前記第２の潜像画線の前記傾斜角度は同じ又は異なり、前記第３、前記第４、・・・、前記第ｎの背景画線と前記第１の背景画線及び前記第２の背景画線の前記傾斜角度は同じ又は異なり、
前記第３の潜像画線と前記第３の背景画線の前記傾斜角度の違い、前記第４の潜像画線と前記第４の背景画線の前記傾斜角度の違い、・・・、前記第ｎの潜像画線と前記第ｎの背景画線の前記傾斜角度の違い及び前記第三の潜像模様、前記第四の潜像模様、・・・及び第Ｎの潜像模様を構成する画線の配列方向の違いにより、前記各画線に当たる光の反射及び／又は透過により生じる明暗の差で、前記基材を傾ける方向に応じて、更に前記第三、前記第四、・・・又は前記第Ｎの潜像模様が視認されることを特徴とする請求項７記載の複数潜像を有する画像形成体。
【請求項９】
前記第１の潜像画線及び前記第１の背景画線が規則的に第１のピッチで配列され、前記第２の潜像画線が規則的に前記第１のピッチと同じピッチ又は異なる第２のピッチで配列され、前記第２の背景画線が前記第２の潜像画線と同じピッチで配列されたことを特徴とする請求項７記載の複数潜像を有する画像形成体。
【請求項１０】
前記第１の潜像画線及び前記第１の背景画線が規則的に第１のピッチで配列され、前記第２の潜像画線が規則的に前記第１のピッチと同じピッチ又は異なる第２のピッチで配列され、前記第２の背景画線が前記第２の潜像画線と同じピッチで配列された場合、前記第３、前記第４、・・・、前記第ｎの潜像画線が、前記第１のピッチ又は前記第２のピッチと同じ又は異なる第３、第４、・・・、第ｎのピッチで配列され、前記第３、前記第４、・・・、前記第ｎの背景画線が前記第３、前記第４、・・・、前記第ｎの潜像画線と同じピッチで配列されたことを特徴とする請求項８記載の複数潜像を有する画像形成体。
【請求項１１】
前記第１の潜像画線、前記第１の背景画線、前記第２の潜像画線及び前記第２の背景画線がランダムなピッチで配列されたことを特徴とする請求項７記載の複数潜像を有する画像形成体。
【請求項１２】
前記第１の潜像画線、前記第１の背景画線、前記第２の潜像画線及び前記第２の背景画線がランダムなピッチで配列された場合、前記第３、前記第４、・・・、前記第ｎの潜像画線及び前記第３、前記第４、・・・、前記第ｎの背景画線が全てランダムなピッチで配列されたことを特徴とする請求項８記載の複数潜像を有する画像形成体。
【発明の詳細な説明】
【技術分野】
【０００１】
本発明は、複数潜像を有する画像形成体に関する。特に、銀行券、硬貨、メダル、株券、有価証券、通行券、パスポート、商品券、カード等の偽造や複写を防止する必要性のある貴重製品に適用される光反射性又は光透過性基材を有する真偽判別可能な画像形成体に適用される。
【背景技術】
【０００２】
セキュリティ製品における真偽判別のために、セキュリティ製品の表面に回折格子やホログラムを記録したシール等を貼付したり、埋め込んだりして、その真正性の保証をしており、セキュリティ製品の真贋を判別するのに有効であったが、これらの技術は、回折光による視覚効果によるため、近年の微細構造の解析技術の向上や微細加工技術の普及に伴い偽造が容易となり、偽造防止効果が低下しつつあり、また、特徴的な視覚効果も低下しているのが現状である。
【０００３】
これに対して、偽造や模造に対する防止効果が高いという特徴のある、回折格子の断面形状としてブレーズド格子を利用することが種々提案されており、鋸歯状断面の各表面で反射が起こるため、技術的に偽造や模造が困難で、偽造品や類似品に対しても、一般的な技術で施された回折格子やホログラムに比べて、高い精度での判別が可能であり、回折格子の配置により、表示画像を構成する回折格子パターンにおいて、少なくとも一部分の回折格子が、左右対称でない断面形状であるブレーズド格子を含む物品が提案されている（例えば、特許文献１参照）。
【０００４】
また、光反射性層の上に積層された光透過性層に、深度を変化させた線群又は点群の深度を、背景部と潜像部とで変化させ、真上から観察した際には、深い部分は暗くなり潜像が観察され、また、傾けた際には深い部分は反射面積が大きくなるので明るくなり、コントラストの差によって潜像が観察される画像形成体が開示されている（例えば、特許文献２参照）。
【０００５】
また、基材にエンボス加工又は凹版印刷により凸部を形成し、その凸部の断面形状の一部を変形させることで、凸部の画線に当たる光の反射状態により生じる明暗の差による潜像を、特定の方向のみから視認する、印刷又は表示画像の作成方法及び該作成方法により作成された画像表示体が開示されている（例えば、特許文献３参照）。
【０００６】
また、硬貨などの通貨には銀行券と同様に多くの偽造防止技術を備えたものがあり、コインの潜像加工としては、我国の５００円硬貨があり、コイン表面に形成した無数の線により、見る角度によって起こる明暗の差を利用して像を見え隠れさせる加工法があり、このような既存技術を応用したデザインとして、遊戯用コインの表面に、見る角度によって見え隠れする文字、模様等から成る図柄の潜像加工が施された遊戯用コインが開示されている（例えば、特許文献４参照）。
【先行技術文献】
【特許文献】
【０００７】
【特許文献１】特許第４７７４６８７号公報
【特許文献２】特許第４６０４２０６号公報
【特許文献３】特許第３７１８７４２号公報
【特許文献４】特開２００９−１８９４７９号公報
【発明の概要】
【発明が解決しようとする課題】
【０００８】
しかしながら、特許文献１は、２種類のブレーズド格子を用いて、又は２種類のブレーズド格子を複数組用いて、２種類の絵柄や文字の表現をするものであるという限定された情報パターンの表現である。
【０００９】
特許文献２は、深度を変化させた線群又は点群の深度を、背景部と潜像部とで変化させる技術であって、潜像を付与するためには深度差をつける必要があるため、鮮明な潜像を付与するためには、深度を深くする必要があり、その分基材の強度も低下し、潜像を複数にするためにはさらに深い深度が必要になるため、基材の強度もさらに低下するという問題があり、また、潜像の観察も、正対での観察では、濃度差はあるが複数の潜像が観察されるため、視認性が著しく低下し、また、傾けた際の反射光による観察でも同様に視認性が著しく低下する。
【００１０】
特許文献３は、基材にエンボス加工又は凹版印刷により凸部を形成し、その凸部の断面
形状を変形させることで生じる反射光の明暗の差により潜像を視認するものであり、潜像が単体での付与である。
【００１１】
特許文献４は、コイン表面に形成した無数の線により、見る角度によって起こる明暗の差を利用して像を見え隠れするようにしたもので、施される図柄等は凸状とされ、図柄を成す一部分に施される潜像加工は、従来と同様に、断面三角形状の各凸状の両方の斜面又は一方の斜面に凹凸を統一的に加工し、その加工方向から見た場合には、統一加工した像が確認できるものであり、潜像加工は凸状の刻印である。
【００１２】
本発明は、上記従来技術の問題点を解決することを目的としたもので、同一の方向性を有する凹及び／又は凸形状の画線の断面形状や画線の角度を変化させることで複数の潜像模様を形成することで、正反射光で観察すると、凹及び／又は凸形状の画線の断面形状の違いにより、凹及び／又は凸形状の画線に当たる光の反射状態により生じる明暗の差で複数の潜像模様が視認できることを特徴とする複数潜像を有する画像形成体を提供するものである。
【課題を解決するための手段】
【００１３】
上記課題を解決するために、本発明は、基材上における少なくとも一部の領域に、凹及び／又は凸形状の画線の傾斜角度を異ならせた複数の潜像模様が形成された複数潜像を有する画像形成体であって、前記潜像模様は、第１の方向に配列された所定傾斜角度の複数の第１の潜像画線により形成された第一の潜像部と、前記第１の潜像画線と重ならない位置に、前記第１の潜像画線と同じ方向に配置された前記所定傾斜角度と異なる角度で傾斜した複数の第１の背景画線により形成された第一の背景部と、前記第１の方向と同じ方向又は前記第１の方向とは異なる第２の方向に配列された、所定傾斜角度の複数の第２の潜像画線により形成された第二の潜像部と、前記第２の潜像画線と重ならない位置に、前記第２の潜像画線と同じ方向に配列された、前記所定傾斜角度と異なる角度で傾斜した複数の第２の背景画線により形成された第二の背景部を有し、前記第１の潜像画線と前記第１の背景画線の傾斜角度を異ならせたことで第一の潜像模様が形成され、前記第２の潜像画線と前記第２の背景画線の傾斜角度を異ならせたことで第二の潜像模様が形成され、前記第１の潜像画線と前記第２の潜像画線が同じ前記第１の方向に配列されている場合、前記第１の潜像画線と前記第２の潜像画線の傾斜角度が異なり、前記第１の背景画線と前記第２の背景画線の傾斜角度は同じ又は異なり、又は、前記第１の潜像画線と前記第２の潜像画線が異なる方向に配列されている場合、前記第１の潜像画線と前記第２の潜像画線の傾斜角度は同じ又は異なり、前記第１の背景画線と前記第２の背景画線の傾斜角度は同じ又は異なり、前記第一の潜像模様及び前記第二の潜像模様を構成する画線の傾斜角度及び／又は画線の配列方向の違いにより、前記各画線に当たる光の反射及び／又は透過により生じる明暗の差で、前記基材を傾ける角度及び／又は方向に応じて前記第一の潜像模様又は前記第二の潜像模様が視認されることを特徴とする複数潜像を有する画像形成体である。
【００１４】
また、本発明は、基材上における少なくとも一部の領域に、凹及び／又は凸形状の画線の傾斜角度を異ならせた複数の潜像模様が形成された複数潜像を有する画像形成体であって、前記潜像模様は、前記第１の方向及び／又は前記第２の方向と同じ又は異なる第３、第４、・・・、第ｎ（ｎは５以上）の方向に配列された複数の第３、第４、・・・、第ｎの潜像画線により形成された第三、第四、・・・、第Ｎの潜像部と、前記第３、前記第４、・・・、前記第ｎの潜像画線と重ならない位置に、前記第３、前記第４、・・・、前記第ｎの潜像画線と同じ方向に配列された複数の第３、第４、・・・、第ｎの背景画線により形成された第三、第四、・・・、第Ｎの背景部を有し、前記第３の潜像画線と前記第３の背景画線の傾斜角度を異ならせたことで第三の潜像模様が形成され、前記第４の潜像画線と前記第４の背景画線の傾斜角度を異ならせたことで第四の潜像模様が形成され、・・・、前記第ｎの潜像画線と前記第ｎの背景画線の傾斜角度を異ならせたことで第Ｎの潜像模様が形成され、前記第３、前記第４、・・・、前記第ｎの潜像画線と前記第１の潜像画線及び前記第２の潜像画線が同じ方向に配列されている場合、前記第３、前記第４、・・・、前記第ｎの潜像画線の傾斜角度と前記第１の潜像画線及び前記第２の潜像画線の全ての画線の傾斜角度は異なり、前記第３、前記第４、・・・、前記第ｎの背景画線と前記第１の背景画線及び前記第２の背景画線の傾斜角度は同じ又は異なり、又は、前記第３、前記第４、・・・、前記第ｎの潜像画線と前記第１の潜像画線及び前記第２の潜像画線が全て異なる方向に配列されている場合、前記第３、前記第４、・・・、前記第ｎの潜像画線の傾斜角度と前記第１の潜像画線及び前記第２の潜像画線の傾斜角度は同じ又は異なり、前記第３、前記第４、・・・、前記第ｎの背景画線と前記第１の背景画線及び前記第２の背景画線の傾斜角度は同じ又は異なり、前記第三の潜像模様、前記第四の潜像模様、・・・及び前記第Ｎの潜像模様を構成する画線の傾斜角度及び／又は画線の配列方向の違いにより、前記各画線に当たる光の反射及び／又は透過により生じる明暗の差で、前記基材を傾ける角度及び／又は方向に応じて前記第三、前記第四、・・・又は前記第Ｎの潜像模様が視認されることを特徴とする請求項１記載の複数潜像を有する画像形成体である。
【００１５】
また、本発明は、前記第１の潜像画線及び前記第１の背景画線が規則的に第１のピッチで配列され、前記第２の潜像画線が規則的に前記第１のピッチと同じピッチ又は異なる第２のピッチで配列され、前記第２の背景画線が前記第２の潜像画線と同じピッチで配列されたことを特徴とする複数潜像を有する画像形成体である。
【００１６】
また、本発明は、前記第１の潜像画線及び前記第１の背景画線が規則的に第１のピッチで配列され、前記第２の潜像画線が規則的に前記第１のピッチと同じピッチ又は異なる第２のピッチで配列され、前記第２の背景画線が前記第２の潜像画線と同じピッチで配列された場合、前記第３、前記第４、・・・、前記第ｎの潜像画線が、前記第１のピッチ又は前記第２のピッチと同じ又は異なる第３、第４、・・・、第ｎのピッチで配列され、前記第３、前記第４、・・・、前記第ｎの背景画線が前記第３、前記第４、・・・、前記第ｎの潜像画線と同じピッチで配列されたことを特徴とする複数潜像を有する画像形成体である。
【００１７】
また、本発明は、前記第１の潜像画線、前記第１の背景画線、前記第２の潜像画線及び前記第２の背景画線がランダムなピッチで配列されたことを特徴とする複数潜像を有する画像形成体である。
【００１８】
また、本発明の前記第１の潜像画線、前記第１の背景画線、前記第２の潜像画線及び前記第２の背景画線がランダムなピッチで配列された場合、前記第３、前記第４、・・・、前記第ｎの潜像画線及び前記第３、前記第４、・・・、前記第ｎの背景画線が全てランダムなピッチで配列されたことを特徴とする複数潜像を有する画像形成体である。
【発明の効果】
【００１９】
本発明の複数潜像を有する画像形成体は、基材上に形成する潜像模様は、同一の方向性を有する凹及び／又は凸形状の画線の断面形状を変化させることで複数の潜像模様が形成されるので、画線の深度又は高さを変化させる必要がないため、基材の強度を低下させることなく複数潜像を形成することができるという効果を奏する。
【００２０】
また、本発明の複数潜像を有する画像形成体は、画線の形状としては凹又は凸形状のどちらでもよく、潜像模様を形成するための画線の配列状態として、同一の方向性を有していればよいので、画線構成に限定されることがないという効果がある。
【図面の簡単な説明】
【００２１】
【図１】本発明の実施の形態１における画像形成体を示す平面図である。
【図２】本発明の実施の形態１における画像形成体の構成を示す概略図である。
【図３】本発明の実施の形態１における第一の潜像模様の構成を示す概略図である。
【図４】本発明の実施の形態１における第二の潜像模様の構成を示す概略図である。
【図５】本発明の実施の形態１における第一の潜像模様と第二の潜像模様の重なり合いの位置関係を示す概略図である。
【図６】左右対称の画線の断面形状を示す図である。
【図７】左右非対称の画線の断面形状を示す図である。
【図８】画線の傾斜を段階的に変化させた断面形状を示す図である。
【図９】本発明の実施の形態１における効果を示す図である。
【図１０】本発明の実施の形態１における潜像模様を形成する画線形状の一例を示す図である。
【図１１】本発明の実施の形態２における画像形成体を示す平面図である。
【図１２】本発明の実施の形態２における画像形成体の構成を示す概略図である。
【図１３】本発明の実施の形態２における第一の潜像模様の構成を示す概略図である。
【図１４】本発明の実施の形態２における第二の潜像模様の構成を示す概略図である。
【図１５】本発明の実施の形態２における第一の潜像模様と第二の潜像模様の重なり合いの位置関係を示す概略図である。
【図１６】本発明の実施の形態２における効果を示す図である。
【図１７】本発明の実施の形態３における画像形成体を示す平面図である。
【図１８】本発明の実施の形態３における画像形成体の構成を示す概略図である。
【図１９】本発明の実施の形態３における第一の潜像模様の構成を示す概略図である。
【図２０】本発明の実施の形態３における第二の潜像模様の構成を示す概略図である。
【図２１】本発明の実施の形態３における第三の潜像模様の構成を示す概略図である。
【図２２】本発明の実施の形態３における第一の潜像模様、第二の潜像模様及び第三の潜像模様の重なり合いの位置関係を示す概略図である。
【図２３】本発明の実施の形態３における効果を示す図である。
【図２４】本発明の実施の形態４における画像形成体を示す平面図である。
【図２５】本発明の実施の形態４における画像形成体の構成を示す概略図である。
【図２６】本発明の実施の形態４における第一の潜像模様の構成を示す概略図である。
【図２７】本発明の実施の形態４における第二の潜像模様の構成を示す概略図である。
【図２８】本発明の実施の形態４における第一の潜像模様と第二の潜像模様の重なり合いの位置関係を示す概略図である。
【図２９】本発明の実施の形態４における効果を示す図である。
【発明を実施するための形態】
【００２２】
本発明を実施するための形態について、図面を参照しながら説明する。しかしながら、本発明は以下に述べる発明を実施するための形態に限定されるものではなく、特許請求の範囲に記載されている技術の範囲であれば、その他いろいろな実施の形態が含まれる。なお、全ての図面を通じて、同様の機能となる構成要素には同一の符号を付し、重複する説明は省略する。本明細書において、凹形状画線を用いて説明するが、凸形状画線についても同様である。
【００２３】
（実施の形態１）
図１に、本発明における画像形成体（１）を示す。画像形成体（１）は、基材（２）上の少なくとも一部領域に、複数の潜像模様（３）が形成されて成る。説明の便宜上、複数の潜像模様（３）が見えているように表されているが、実際には拡散反射光による観察では潜像模様は観察されず、傾けることで観察される。また、潜像模様を形成する画線としては、同一の方向性を持った複数本の凹及び／又は凸形状の画線であり、該画線の少なくとも一本以上の任意の領域の画線の断面形状を変化させて潜像模様を形成するものである。
【００２４】
図２に、複数の潜像模様（３）の構成を示す。複数の潜像模様（３）は、第一の潜像模様（４）と第二の潜像模様（５）から成る。
【００２５】
図３に、第一の潜像模様（４）とその一部拡大断面図を示す。第一の潜像模様（４）は、第一の潜像部（６）と第一の背景部（７）とから成る。第一の潜像部（６）は、画線幅Ｗ１の画線が、第１の方向（Ｓ１方向）にピッチＰ１で連続して配置されて第１の潜像画線（８）を形成してなり、第１の潜像画線（８）の傾斜角度（以下「断面形状」という。）を図３（ｂ）に示すように、左右対称凹画線で傾斜βによる画線で形成する。第一の背景部（７）は、第１の潜像画線（８）と重ならない位置に、画線幅Ｗ１の画線が、第１の方向（Ｓ１方向）にピッチＰ１で連続して配置されて第１の背景画線（９）を形成して成り、第１の背景画線（９）の断面形状を図３（ａ）に示すように、左右対称凹画線で傾斜αによる画線で形成する。画線の傾斜角度を異ならせた第１の潜像画線（８）と第１の背景画線（９）により第一の潜像模様（４）である数字「１」が形成されて成る。
【００２６】
なお、本明細書で用いる「画線」とは、基材上に形成する凹又は凸形状の部分を言い、画線の画線幅は５〜５００μｍ、画線深さは０．５〜５００μｍが望ましい。これは、本発明の複数潜像を有する画像形成体は、画線に当たる光の反射状態により生じる明暗の差により潜像模様を出現させるようにしているので、画線の傾斜角度、画線幅及び／又は画線の深さを変化させると、画線に入射する光に対して反射する光の方向が変化し、観察する視点が変わるため、入射する光に対して反射する光を捉えることができる限界として、画線幅は５μｍ、画線深さは０．５μｍとしている。
【００２７】
図４に、第二の潜像模様（５）とその一部拡大断面図を示す。第二の潜像模様（５）は、第二の潜像部（１０）と第二の背景部（１１）とから成る。第二の潜像部（１０）は、画線幅Ｗ２の画線が、第１の方向（Ｓ１方向）にピッチＰ１で連続して配置されて第２の潜像画線（１２）を形成して成り、第２の潜像画線（１２）の断面形状を図４（ｂ）に示すように、左右対称凹画線で傾斜γによる画線で形成する。第二の背景部（１１）は、第２の潜像画線（１２）と重ならない位置に、画線幅Ｗ２の画線が、第１の方向（Ｓ１方向）にピッチＰ１で連続して配置されて第２の背景画線（１３）を形成して成り、第２の背景画線（１３）の断面形状を図４（ａ）に示すように、傾斜αによる画線で形成する。画線の傾斜角度を異ならせた第２の潜像画線（１２）と第２の背景画線（１３）により第二の潜像模様（５）である数字の「５」が形成されて成る。
【００２８】
図５に、第一の潜像模様（４）と第二の潜像模様（５）の重なり合いの位置関係とその一部拡大断面図及び一部拡大模式図を示す。図５（ａ）の一部拡大断面図に示すように、Ｓ１方向に、第１の潜像画線（８）と第２の潜像画線（１２）、第１の背景画線（９）と第２の背景画線（１３）が、それぞれ半ピッチずれて形成されており、画線幅（Ｗ１）と（Ｗ２）は同じでも異なっていても良い。第１の潜像画線（８）及び第１の背景画線（９）と第２の潜像画線（１２）及び第２の背景画線（１３）は交互に形成されることになり、第１の潜像画線（８）と第２の潜像画線（１２）の画線の断面形状は異なっており、第１の背景画線（９）と第２の背景画線（１３）の画線の断面形状は同じ角度となっている。図５（ｂ）は一部拡大模式図であり、第１の潜像画線（８）の画線の傾斜を格子線で、第２の潜像画線（１２）の画線の傾斜を縦線で、第１の背景画線（９）、第２の背景画線（１３）の画線の傾斜を横線で表している。
【００２９】
基材上に形成される潜像模様を構成する画線の断面形状としては、画線の両方の傾斜面が同じ傾斜である左右対称の場合と画線の両方の傾斜面が異なる傾斜である左右非対称の場合があり、画線の傾斜面の変化による光の反射状態を以下に説明する。
【００３０】
図６に、画線が左右対称の場合の断面形状の例を示す。左右対称の場合、画線の両側面は同じ傾斜であり、基材を１８０°回転させたときに、法線方向においては同様の反射及び／又は透過光が生じるため、同じ潜像模様が観察される。図６（ａ）〜（ｃ）は、画線の傾斜角度を変えた例であり、基材（２）に対して、同一の方向から入射する入射光（１４）は、画線の傾斜（α、β、γ）面から反射する反射光（１５）の角度は、画線の傾斜により異なるため、観察点（１６）（ｋ１、ｋ２、ｋ３）も異なる。図６(ａ)〜（ｃ）の画線の傾斜を模式図で示したものが、図６（ａ´）〜（ｃ´）である。図６（ａ´）は画線の傾斜αを横線で、図６（ｂ´）は画線の傾斜βを縦線で、図６（ｃ´）は画線の傾斜γを格子線で表している。図６（ｄ）は、基材（２）に、図６（ａ）〜（ｃ）に示す画線を形成した場合であり、入射光（１４）が画線の傾斜（α、β、γ）面でそれぞれ反射されると、反射光（１５）の角度が異なるため、観察点（１６）（ｋ１、ｋ２、ｋ３）も異なる。
【００３１】
図７に、画線が左右非対称の場合の断面形状の例を示す。左右非対称の場合、画線の両側面は傾斜が異なっているため、基材を１８０°回転させたときに、法線方向に応じて、観察角度により異なった潜像模様として観察される。図７（ａ）〜（ｃ）は、画線の両方の傾斜面がそれぞれ異なる傾斜としたものであり、基材（２）に対して、同一の方向から入射する入射光（１４）は、画線の傾斜（α、β、γ）面で反射し、反射光（１５）の角度は、画線の傾斜により異なるため、観察点（１６）（ｋ１、ｋ２、ｋ３）も多様になってくる。
【００３２】
左右対称及び左右非対称の画線の場合、画線の左右の傾斜面に形成する潜像模様としては、左右同じ模様でも異なった模様でも良く、異なった模様で形成すれば、多くの潜像模様を形成することが可能となる。このように、基材（２）に形成される潜像模様を構成する画線の断面形状を種々に異ならせることで、入射光（１４）に対する反射光（１５）の反射角度が異なるため、潜像模様の観察位置が異なり、複数の潜像模様が視認できる。
【００３３】
さらに、左右対称又は左右非対称の画線に対して、画線の一方又は両方の側面の傾斜部分を、段階的に変化させることで、複数の潜像模様を形成することが可能となる。図８に、画線の傾斜を段階的に変化させた場合の断面形状の例を示す。図８（ａ）は、画線の両側面を２段階に変化させた場合の断面形状であり、図８（ｂ）は、画線の一方の側面を２段階に変化させた場合の断面形状であり、図８（ｃ）は、一方の側面を２段階に、他方の側面を３段階に変化させた場合の断面形状である。このように、基材（２）に形成される潜像模様を構成する画線の傾斜を段階的に変化させ、
変化させた部分に、断面形状を異ならせた潜像模様を形成することで、入射光（１４）に対する反射光（１５）の反射角度が異なり、様々な方向から反射されるため、基材（２）の角度を変化させたり、観察位置を変えることで、複数の潜像模様を視認することができる。画線幅と画線深さは、それぞれの画線で同じでも異なっていても良いが、同じにすることで、より偽造し難くなる。
【００３４】
図９に、本発明の画像形成体（１）の効果を示す。本発明の画像形成体（１）の角度や観察点を変える、又は光源の位置を変化させることで、潜像模様（３）中に観察できる画像として、傾斜βによる画線（格子状）で形成された第１の潜像画線（８）と傾斜αによる画線で形成された第１の背景画線（９）により形成された第一の潜像模様（４）である数字「１」又は傾斜γによる画線（縦線）で形成された第２の潜像画線（１２）と傾斜αによる画線で形成された第２の背景画線（１３）により形成された第二の潜像模様（５）である数字「５」が出現する。これは、第１の背景画線（９）と第２の背景画線（１３）の画線の傾斜αが同じであるが、第１の潜像画線（８）と第２の潜像画線（１２）を形成している画線の断面形状を異ならせているため、画線に当たる光の反射状態により生じる明暗の差により出現する潜像模様を、画像形成体（１）の角度及び／又は方向を変化させることで視認する。画像形成体（１）を構成する基材が光反射性基材の場合には、画像形成体（１）に入射した入射光（１４）に対する反射光（１５）により、観察点（１６）において潜像模様を視認し、基材が透過性基材の場合には、画像形成体（１）に入射した入射光（１４）に対する透過光（１５ａ）により、観察点（１６ａ）において潜像模様を視認する。また、本発明の画像形成体（１）を正面から観察した場合は、画線模様として視認されるだけで、潜像模様の識別は困難である。ここでは、画線の断面形状として、凹形状画線の深さ方向の傾斜で説明したが、凸形状の高さ方向の傾斜についても同様のことがいえる。
【００３５】
本明細書で用いる「画像形成体の角度や観察点を変える、又は光源の位置を変化させることで潜像模様中に観察できる画像」という文言のうち、「画像形成体の角度や観察点を変える」という文言は、画像形成体に形成される潜像模様を視認するために、画像形成体を前後左右に傾けたり、方向を変えたりすること、また、傾ける角度により観察する位置が変わることをいい、また、「光源の位置を変化させる」という文言は、光源から基材に入射する光の角度が変わることをいい、画像形成体を観察して潜像模様を視認するために、画像形成体を動かしながら視認するか、又は光源を動かしながら視認することをいう。
【００３６】
本発明における複数潜像を有する画像形成体において、潜像模様の作製方法としては、直接加工する方法、加工した物を原版として型取り（転写）する方法、印刷による方法、他の工程で形成した画線部を基材に貼り付ける方法等があり、画線を形成できるものであれば、形成方法は限定されない。直接加工する方法としては、機械彫刻、レーザ彫刻等の各種彫刻方法及びエンボスによるものがあり、転写方法としては、射出成型、ナノインプリント等の各種型取り方法により成型される。また、成型物が光反射特性を保有していない場合、加工前及び／又は加工後に、断面角度の差を保持するように、オフセット印刷方式、スパッタリング法等により、光反射層を付与することにより作製する。
【００３７】
本発明の画像形成体を構成する基材に潜像模様を形成する画線としては、同一の方向性を有する凹及び／又は凸形状の画線を用いて形成する。図１０に、画線の配置例を示すが、これに限定されない。例えば、図１０（ａ）に示す万線が配置された画線、図１０（ｂ）に示す隣り合う画線が一定の角度をなして３本以上配置されて形成される多角形の一例である正六角形に配置された画線、図１０（ｃ）に示す画線角度の異なる万線が交差して配置された画線、図１０（ｄ）に示す一定長さの画線が一定方向に規則的に断絶して配置された画線、図１０（ｅ）に示すランダム配置された画線等であり、これらの画線に潜像模様を形成するためには、画線の配置方向として同一の方向性を有していれば、いかなる画線形状で構成されても良い。
【００３８】
本発明の画像形成体を構成する基材としては、光反射性又は光透過性のどちらでも良いが、光反射性を有していない場合は、前述したように、加工前又は加工後に、形成された画線の傾斜の差を保持するように光反射層を付与する。
【００３９】
以下、前述した発明を実施するための形態にしたがって、具体的に作製した画像形成体の実施例について詳細に説明するが、本発明は、この実施例に限定されるものではない。
【００４０】
（実施の形態２）
本発明の実施の形態２について、図１１〜図１６を用いて説明する。本実施の形態２では、画像形成体を形成する潜像模様に用いる画線の配置として、複数の画線角度の異なる万線が交差して配置された画線を用いた例である。画線角度が直交する万線であり、一つの画線は横方向（画線角度０°）で、もう一つの画線は縦方向（画線角度９０°）とする。図１１は、画像形成体（１−１）を示す図である。画像形成体（１−１）は、基材（２−１）上に複数の潜像模様（３−１）が形成されて成る。本実施の形態２において、基材（２−１）には光反射性基材を用いた。また、基材への潜像模様の形成方法としては、レーザ加工を用いた。
【００４１】
図１２に、複数の潜像模様（３−１）の構成を示す。複数の潜像模様（３−１）は、第一の潜像模様（４−１）と第二の潜像模様（５−１）から成る。説明の便宜上、二つの潜像模様（３−１）が見えているように表されているが、実際には拡散反射光による観察では潜像模様は視認されず、傾けることで視認される。
【００４２】
図１３に、第一の潜像模様（４−１）とその一部拡大断面図を示す。第一の潜像模様（４−１）は、第一の潜像部（６−１）と第一の背景部（７−１）とから成る。第一の潜像部（６−１）は、画線幅（Ｗ１）４０μｍの画線が、第１の方向（Ｓ１方向）（画線角度０°）にピッチ（Ｐ１）１６０μｍで連続して配置されて第１の潜像画線（８−１）を形成して成り、第一の潜像画線（８−１）の断面形状を図１３（ｂ）に示すように、左右対称凹画線で傾斜（β）による画線で形成する。また、第一の背景部（７−１）は、第１の潜像画線（８−１）と重ならない位置に、画線幅（Ｗ１）４０μｍの画線が、第１の方向（Ｓ１方向）（画線角度０°）にピッチ（Ｐ１）１６０μｍで連続して配置されて第１の背景画線（９−１）を形成して成り、第１の背景画線（９−１）の断面形状を図１３（ａ）に示すように、左右対称凹画線で傾斜（α）による画線で形成する。画線の傾斜角度を、第１の潜像画線の傾斜角度をβ、第１の背景画線（９−１）の傾斜角度をαと異ならせることで、第一の潜像模様（４−１）である数字の「１」が形成されて成る。
【００４３】
図１４に、第二の潜像模様（５−１）とその一部拡大断面図を示す。第二の潜像模様（５−１）は、第二の潜像部（１０−１）と第二の背景部（１１−１）とから成る。第二の潜像部（１０−１）は、画線幅（Ｗ２）４０μｍの画線が、第２の方向（Ｓ２方向）（画線角度９０°）にピッチ（Ｐ２）１６０μｍで連続して配置されて第２の潜像画線（１２−１）を形成して成り、第２の潜像画線（１２−１）の断面形状を図１４（ｂ）に示すように、左右対称凹画線で傾斜（β）による画線で形成する。また、第二の背景部（１１−１）は、第２の潜像画線（１２−１）と重ならない位置に、画線幅（Ｗ２）の画線が、第２の方向（Ｓ２方向）にピッチ（Ｐ２）１６０μｍで連続して配置されて第２の背景画線（１３−１）を形成して成り、第２の背景画線（１３−１）の断面形状を図１４（ａ）に示すように、傾斜（α）による画線で形成する。画線の傾斜角度を、第２の潜像画線（１２−１）の傾斜角度をβ、第２の背景画線（１３−１）の傾斜角度をαと異ならせることで、第二の潜像模様（５−１）である数字の「２」が形成されて成る。
【００４４】
図１５に、第一の潜像模様（４−１）と第二の潜像模様（５−１）の重なり合いの位置関係とその一部拡大断面図及び一部拡大模式図を示す。図１５（ａ）の一部拡大断面図に示すように、Ｓ１方向（画線角度０°）の第１の潜像画線（８−１）と第１の背景画線（９−１）、Ｓ２方向（画線角度９０°）の第２の潜像画線（１２−１）と第２の背景画線（１３−１）とが直交して形成されており、画線幅（Ｗ１）と（Ｗ２）が４０μｍ、また、ピッチ（Ｐ１）と（Ｐ２）が１６０μｍとそれぞれ同じであるが、画線幅とピッチは異なっていても良い。第１の潜像画線（８−１）と第２の潜像画線（１２−１）、第１の背景画線（９−１）と第２の背景画線（１３−１）は直交して形成されることで、第１の潜像画線（８−１）と第２の潜像画線（１２−１）の画線の断面形状は、傾斜（β）が同じであるが、画線の方向は異なっている。また、第１の背景画線（９−１）と第２の背景画線（１３−１）の画線の断面形状は、傾斜（α）が同じであるが、画線の方向は異なっている。図１５（ｂ）は一部拡大模式図であり、第１の潜像画線（８−１）及び第２の潜像画線（１２−１）の画線の傾斜を格子線で、第１の背景画線（９−１）及び第２の背景画線（１３−１）の画線の傾斜を横線で表している。
【００４５】
以上の構成で実施の形態２の複数潜像を有する画像形成体（１−１）を形成した。本実施の形態２の画像形成体（１−１）の効果について図１６を用いて説明する。本実施の形態２の画像形成体（１−１）の角度や観察点を変える、又は光源の位置を変化させることで潜像模様（３−１）中に観察できる画像として、傾斜（β）による画線で形成された第１の潜像画線（８−１）と傾斜（α）による画線で形成された第１の背景画線（９−１）により形成された第一の潜像模様（４−１）である数字「１」又は傾斜（β）による画線で形成された第２の潜像画線（１２−１）と傾斜（α）による画線で形成された第２の背景画線（１３−１）により形成された第二の潜像模様（５−１）である数字「２」が出現する。これは、第一の潜像模様（４−１）と第二の潜像模様（５−１）を形成している画線の断面形状は同じであるが、画線の方向を異ならせているため、画線に当たる光の反射状態により生じる明暗の差により出現する潜像模様を、画像形成体（１−１）の角度及び／又は方向を変化させることで視認する。また、本実施の形態２の画像形成体（１−１）を正面から観察した場合は、画線模様として視認されるだけで、潜像模様の識別は困難である。
【００４６】
（実施の形態３）
本発明の実施の形態３について、図１７〜図２３を用いて説明する。本実施の形態３では、画像形成体を形成する潜像模様に用いる画線の配置として、正六角形を用いた例である。正六角形を構成する画線において、同一の方向性を有する画線同士で潜像模様を形成するものである。図１７は、画像形成体（１−２）を示す図である。画像形成体（１−２）は、基材（２−２）上に、正六角形を構成する同一の方向性を有する画線同士で複数の潜像模様（３−２）が形成されて成る。本実施の形態３において、基材（２−２）には光反射性基材を用いた。また、基材への潜像模様の形成方法としては、レーザ加工を用いた。
【００４７】
図１８に、複数の潜像模様（３−２）の構成を示す。正六角形を同一の方向性を有する画線同士に分けると、辺ｇ１の方向性を有する画線、辺ｇ２の方向性を有する画線、辺ｇ３の方向性を有する画線という３種類の方向を有する画線構成となり、この３種類の画線で構成される複数の潜像模様（３−２）は、第一の潜像模様（４−２）、第二の潜像模様（５−２）及び第三の潜像模様（１７）から成る。説明の便宜上、複数の潜像模様（３−２）が見えているように表されているが、実際には拡散反射光による観察では潜像模様は観察されず、傾けることで観察される。
【００４８】
図１９に、第一の潜像模様（４−２）とその一部拡大断面図を示す。第一の潜像模様（４−２）は、第一の潜像部（６−２）と第一の背景部（７−２）とから成る。第一の潜像部（６−２）は、正六角形の辺ｇ１の方向性を有する画線が配置されて第１の潜像画線（８−２）を形成して成り、第１の潜像画線（８−２）の断面形状を図１９（ｂ）に示すように、左右対称凹画線で傾斜（β）による画線で形成する。また、第一の背景部（７−２）は、辺ｇ１の方向性を有する画線のうち、第１の潜像画線（８−２）を形成する画線以外の辺ｇ１の方向性を有する画線が配置されて第１の背景画線（９−２）を形成してなり、第１の背景画線（９−２）の断面形状を図１９（ａ）に示すように、左右対称凹画線で傾斜（α）による画線で形成する。第一の潜像部（６−２）と第一の背景部（７−２）を形成する第１の潜像画線（８−２）と第１の背景画線（９−２）は、画線の方向は辺ｇ１の方向で同じであるが、画線の傾斜角度を異ならせることにより第一の潜像模様（４−２）である数字「１」が形成されて成る。
【００４９】
図２０に、第二の潜像模様（５−２）とその一部拡大断面図を示す。第二の潜像模様（５−２）は、第二の潜像部（１０−２）と第二の背景部（１１−２）とから成る。第二の潜像部（１０−２）は、正六角形の辺ｇ２の方向性を有する画線が配置されて第２の潜像画線（１２−２）を形成してなり、第２の潜像画線（１２−２）の断面形状を図２０（ｂ）に示すように、左右対称凹画線で傾斜（β）による画線で形成する。また、第二の背景部（１１−２）は、辺ｇ２の方向性を有する画線のうち、第２の潜像画線（１２−２）を形成する画線以外の辺ｇ２の方向性を有する画線が配置されて第２の背景画線（１３−２）を形成してなり、第２の背景画線（１３−２）の断面形状を図２０（ａ）に示すように、左右対称凹画線で傾斜（α）による画線で形成する。第二の潜像部（１０−２）と第二の背景部（１１−２）を形成する第２の潜像画線（１２−２）と第２の背景画線（１３−２）は、画線の方向は辺ｇ２の方向で同じであるが、画線の傾斜角度を異ならせることにより第二の潜像模様（５−２）である数字「２」が形成されて成る。
【００５０】
図２１に、第三の潜像模様（１７）とその一部拡大断面図を示す。第三の潜像模様（１７）は、第三の潜像部（１８）と第三の背景部（１９）とから成る。第三の潜像部（１８）は、正六角形の辺ｇ３の方向性を有する画線が配置されて第３の潜像画線（２０）を形成してなり、第３の潜像画線（２０）の断面形状を図２１（ｂ）に示すように、左右対称凹画線で傾斜（β）による画線で形成する。また、第三の背景部（１９）は、辺ｇ３の方向性を有する画線のうち、第３の潜像画線（２０）を形成する画線以外の辺ｇ３の方向性を有する画線が配置されて第３の背景画線（２１）を形成してなり、第３の背景画線（２１）の断面形状を図２１（ａ）に示すように、左右対称凹画線で傾斜（α）による画線で形成する。第三の潜像部（１８）と第三の背景部（１９）を形成する第３の潜像画線（２０）と第３の背景画線（２１）は、画線の方向は辺ｇ３の方向で同じであるが、画線の傾斜角度を異ならせることにより第三の潜像模様（１７）である数字「３」が形成されて成る。
【００５１】
図２２に、第一の潜像模様（４−２）、第二の潜像模様（５−２）及び第三の潜像模様（１７）の重なり合いの位置関係（ａ）及び一部拡大模式図（ｂ）を示す。図２２（ａ）に示すように、各潜像模様の位置関係は、視認される正六角形の画線には、辺ｇ１の方向性を有する画線で第１の潜像画線（８−２）と第１の背景画線（９−２）が形成され、辺ｇ２の方向性を有する画線で第２の潜像画線（１２−２）と第２の背景画線（１３−２）が形成され、辺ｇ３の方向性を有する画線で第３の潜像画線（２０）と第３の背景画線（２１）が形成される。第１の潜像画線（８−２）、第２の潜像画線（１２−２）及び第３の潜像画線（２０）の画線の断面形状は、傾斜（β）が同じであるが、画線の方向はそれぞれ異なっている。また、第１の背景画線（９−２）、第２の背景画線（１３−２）及び第３の背景画線（２１）の画線の断面形状は、傾斜（α）が同じであるが、画線の方向はそれぞれ異なっている。図２２（ｂ）は一部拡大模式図であり、第１の潜像画線（８−２）、第２の潜像画線（１２−２）及び第３の潜像画線（２０）の画線の傾斜を格子線で、第１の背景画線（９−２）、第２の背景画線（１３−２）及び第３の背景画線（２１）の画線の傾斜を横線で表している。
【００５２】
以上の構成で実施の形態３の複数潜像を有する画像形成体（１−２）を形成した。本実施の形態３の画像形成体（１−２）の効果について図２３を用いて説明する。本実施の形態３の画像形成体（１−２）の角度や観察点を変える、又は光源の位置を変化させることで潜像模様（３−２）中に観察できる画像として、第一の潜像模様（４−２）である数字「１」、第二の潜像模様（５−２）である数字「２」及び第三の潜像模様（１７）である数字「３」が出現する。これは、第一の潜像模様（４−２）、第二の潜像模様（５−２）、第三の潜像模様（１７）を形成している第１の潜像画線（８−２）、第２の潜像画線（１２−１）及び第３の潜像画線（２０）の断面形状は同じであり、また、第１の背景画線（９−１）、第２の背景画線（１３−１）及び第３の背景画線（２１）の断面形状は同じであるが、各潜像模様ごとに画線の方向が異なっているため、画線に当たる光の反射状態により生じる明暗の差により出現する各潜像模様を、画像形成体（１−２）の角度及び／又は方向を変化させることで視認できる。また、本実施の形態３の画像形成体（１−２）を正面から観察した場合は、画線模様として視認されるだけで、潜像模様の識別は困難である。
【００５３】
（実施の形態４）
本発明の実施の形態４について、図２４〜図２９を用いて説明する。本実施の形態４では、画像形成体を形成する潜像模様に用いる画線の配置として、ランダム配置された画線を用いた例である。ランダム配置のなかで、同一の方向性を有する画線同士で潜像模様を形成するものである。図２４は、画像形成体（１−３）を示す図である。画像形成体（１−３）は、基材（２−３）上に、ランダム配置された画線のなかで、同一の方向性を有する画線同士で複数の潜像模様（３−３）が形成されて成る。本実施の形態４において、基材（２−３）には光反射性基材を用いた。また、基材への潜像模様の形成方法としては、レーザ加工を用いた。
【００５４】
図２５に、複数の潜像模様（３−３）の構成を示す。ランダム配置された画線を同一の方向性を有する画線同士に分けると２種類の画線で構成されており、この２種類の画線で構成される潜像模様（３−３）は、第一の潜像模様（４−３）、第二の潜像模様（５−３）から成る。説明の便宜上、複数の潜像模様（３−３）が見えているように表されているが、実際には拡散反射光による観察では潜像模様は視認されず、傾けることで視認される。
【００５５】
図２６に、第一の潜像模様（４−３）とその一部拡大模式図を示す。第一の潜像模様（４−３）は、第一の潜像部（６−３）と第一の背景部（７−３）とから成る。本実施の形態４で用いるランダム配置された画線としては、画線幅（Ｗ１）４０μｍ、長さ（Ｘ）５μｍの画線を用いた。第一の潜像部（６−３）は、同一の方向にランダム配置された画線の一部領域に、画線幅（Ｗ１）４０μｍ、長さ（Ｘ）５μｍの第１の潜像画線（８−３）を形成してなり、第１の潜像画線（８−３）の断面形状を図２６（ｂ）に示すように、左右対称凹画線で傾斜（β）による画線で形成する。また、第一の背景部（７−３）は、第１の潜像画線（８−３）を形成するランダム画線以外のランダム画線に配置されて第１の背景画線（９−３）を形成してなり、第１の背景画線（９−３）の断面形状を図２６（ａ）に示すように左右対称凹画線で傾斜（α）による画線で形成する。第１の潜像画線（８−３）と第1の背景画線（９−３）は、ランダムに配置された画線のうち、同一の方向性を有する画線で、画線の傾斜角度を異ならせることにより第一の潜像模様（４−３）である数字「１」が形成されて成る。画線の長さ（Ｘ）は、製品により任意に設定すれば良く、画線に当たる光の反射により視認できる５μｍ以上が望ましい。また、本実施の形態４において、図面ではランダム配置された画線の長さ（Ｘ）が全て同一となっているが、画線の長さは全てが同じでなくとも良く、同一の方向性であれば良い。
【００５６】
図２７に、第二の潜像模様（５−３）とその一部拡大模式図を示す。第二の潜像模様（５−３）は、第二の潜像部（１０−３）と第二の背景部（１１−３）とから成る。第二の潜像部（１０−３）は、同一の方向にランダム配置された画線の一部領域に、画線幅（Ｗ２）４０μｍ、長さ（Ｘ）５μｍの第２の潜像画線（１２−３）を形成してなり、第２の潜像画線（１２−３）の断面形状を図２７（ｂ）に示すように、左右対称凹画線で傾斜（β）による画線で形成する。また、第二の背景部（１１−３）は、第２の潜像画線（１２−３）を形成するランダム画線以外のランダム画線に配置されて第２の背景画線（１３−３）を形成してなり、第２の背景画線（１３−３）の断面形状を図２７（ａ）に示すように、左右対称凹画線で傾斜（α）による画線で形成する。第２の潜像画線（１２−３）と第２の背景画線（１３−３）は、ランダムに配置された画線のうち、同一の方向性を有する画線で、画線の傾斜角度を異ならせることにより第二の潜像模様（５−３）である数字「２」が形成されて成る。画線の長さＸは、５μｍ以上が望ましい。
【００５７】
図２８に、第一の潜像模様（４−３）及び第二の潜像模様（５−３）の重なり合いの位置関係（ａ）及び一部拡大模式図（ｂ）を示す。図２８（ａ）に示すように、ランダム配置された画線のなかに、第１の潜像画線（８−３）と第１の背景画線（９−３）により第一の潜像模様（４−３）、第２の潜像画線（１２−３）と第２の背景画線（１３−３）により第二の潜像模様（５−３）が形成される。第１の潜像画線（８−３）及び第２の潜像画線（１２−３）の画線の断面形状は同じであるが、画線の方向は異なっている。また、第１の背景画線（９−３）及び第２の背景画線（１３−３）の画線の断面形状は同じであるが、画線の方向は異なっている。第一の潜像模様（４−３）及び第二の潜像模様（５−３）を形成している画線の画線幅は同じでも異なっていても良い。図２８（ｂ）は一部拡大模式図である。本実施の形態４は、ランダムに配置された画線同士が重なっていない場合であるが、画線同士が重なっている場合は、重なっている部分を避けて潜像模様を形成するので、画線は重なっていてもいなくてもどちらでも良い。また、ランダムに配置される画線において、背景となる領域と潜像となる領域の割合は限定されず、全てが潜像領域となっても可能である。
【００５８】
以上の構成で実施の形態４の複数潜像を有する画像形成体（１−３）を形成した。本実施の形態４の画像形成体（１−３）の効果について図２９を用いて説明する。本実施の形態４の画像形成体（１−３）の角度や観察点を変える、又は光源の位置を変化させることで潜像模様（３−３）中に観察できる画像として、第一の潜像模様（４−３）である数字「１」及び第二の潜像模様（５−３）である数字「２」が出現する。画線はランダムに配置されているため、潜像模様を形成している領域以外は背景領域となり、本実施の形態４の画像形成体（１−３）の角度及び／又は方向を変化させることで、それぞれの潜像模様が視認される。また、本実施の形態４の画像形成体（１−３）を正面から観察した場合は、画線模様として視認されるだけで、潜像模様の識別は困難である。
【００５９】
上述した実施の形態において、潜像模様を形成する場合の背景部の画線の側面の傾斜（α）、潜像部の画線の側面の傾斜（β）、（γ）として説明したが、傾斜角度（α）、（β）、（γ）を種々に変えることで、同一の方向性を持った凹及び／又は凸形状の画線に複数の潜像模様を形成することが可能であり、偽造防止効果の高い画像表示体を得ることができる。
【符号の説明】
【００６０】
１、１−１、１−２、１−３    画像形成体
２、２−１、２−２、２−３    基材
２´  基材の非画線部
３、３−１、３−２、３−３    潜像模様
４、４−１、４−２、４−３    第一の潜像模様
５、５−１、５−２、５−３    第二の潜像模様
６、６−１、６−２、６−３    第一の潜像部
７、７−１、７−２、７−３    第一の背景部
８、８−１、８−２、８−３    第１の潜像画線
９、９−１、９−２、９−３    第１の背景画線
１０、１０−１、１０−２、１０−３    第二の潜像部
１１、１１−１、１１−２、１１−３    第二の背景部
１２、１２−１、１２−２、１２−３    第２の潜像画線
１３、１３−１、１３−２、１３−３    第２の背景画線
１４    入射光
１５    反射光
１５ａ  透過光
１６、１６ａ    観察点
１７    第三の潜像模様
１８    第三の潜像部
１９    第三の背景部
２０    第３の潜像画線
２１    第３の背景画線
Ｐ１、Ｐ２    ピッチ
Ｗ１、Ｗ２    画線幅
α、β、γ    傾斜
【図１】
0005975256.tif 000002
【図２】
0005975256.tif 000003
【図３】
0005975256.tif 000004
【図４】
0005975256.tif 000005
【図５】
0005975256.tif 000006
【図６】
0005975256.tif 000007
【図７】
0005975256.tif 000008
【図８】
0005975256.tif 000009
【図９】
0005975256.tif 000010
【図１０】
0005975256.tif 000011
【図１１】
0005975256.tif 000012
【図１２】
0005975256.tif 000013
【図１３】
0005975256.tif 000014
【図１４】
0005975256.tif 000015
【図１５】
0005975256.tif 000016
【図１６】
0005975256.tif 000017
【図１７】
0005975256.tif 000018
【図１８】
0005975256.tif 000019
【図１９】
0005975256.tif 000020
【図２０】
0005975256.tif 000021
【図２１】
0005975256.tif 000022
【図２２】
0005975256.tif 000023
【図２３】
0005975256.tif 000024
【図２４】
0005975256.tif 000025
【図２５】
0005975256.tif 000026
【図２６】
0005975256.tif 000027
【図２７】
0005975256.tif 000028
【図２８】
0005975256.tif 000029
【図２９】
0005975256.tif 000030